(57)【要約】【課題】  モータの冷却性能を向上できるように改良された電動工具を提供する。【解決手段】  冷却風をハウジング１０５内に導入する冷却風導入口１２９を有する電動工具であって、冷却風導入口１２９を覆うようにハウジング１０５に取外し自在に取付けられた防塵アタッチメント１４１を有する。防塵アタッチメント１４１は、冷却風の冷却風導入口１２９からの導入方向と交差する端部面１４３と、当該端部面１４３に形成され、冷却風の通過を許容しつつ塵埃の通過を許容せず、当該塵埃を捕捉可能な第１開口１４５と、第１開口１４５と異なる方向に開口された第２開口１４９と、を有し、常時には、冷却風は、第１開口１４５から冷却風導入口１２９を通じてハウジング内部に導入され、当該第１開口１４５が塵埃の捕捉によって目詰まりを起こした場合には、第２開口１４９が冷却風のハウジング内への流通量を確保する構成とした。【選択図】  図９
2012200845.tif 000002
【特許請求の範囲】
【請求項１】
先端工具を駆動するモータと、
前記モータを収容するハウジングと、
前記ハウジングに収容され、前記モータにより回転駆動されて当該ハウジング内に冷却風を流通させる冷却ファンと、
前記冷却風を前記ハウジング内に導入するべく当該ハウジングに形成された冷却風導入口と、を有する電動工具であって、
前記冷却風導入口を覆うように前記ハウジングに取外し自在に取付けられた防塵アタッチメントを有し、
前記防塵アタッチメントは、
前記冷却風の前記冷却風導入口からの導入方向と交差する端部面と、
前記端部面に形成され、冷却風の通過を許容しつつ塵埃の通過を許容せず、当該塵埃を捕捉可能な第１開口と、
前記第１開口と異なる方向に開口された第２開口と、を有し、
常時には、冷却風は、前記第１開口から前記冷却風導入口を通じて前記ハウジング内部に導入され、当該第１開口が塵埃の捕捉によって目詰まりを起こした場合には、前記第２開口が冷却風の前記ハウジング内への流通量を確保する構成としたことを特徴とする電動工具。
【請求項２】
請求項１に記載の電動工具であって、
前記第１開口には、冷却風の通過を許容しつつ塵埃の通過を許容せず、当該塵埃を捕捉可能なフィルター部材が配置され、これによって当該第１開口が構成されていることを特徴とする電動工具。
【請求項３】
請求項１または２に記載の電動工具であって、
前記防塵アタッチメントの内部には、補強リブが形成されており、当該補強リブは、前記第１開口からの冷却風の流入を区分して、前記第２開口の冷却風の吸引力を低減させる部材を兼用することを特徴とする電動工具。
【請求項４】
請求項１〜３のいずれかに記載された電動工具であって、
前記防塵アタッチメントは、当該防塵アタッチメントを前記ハウジングに係止するための係止部材を有し、前記冷却風導入口が、前記係止部材が係止される受け孔を兼用する構成としたことを特徴とする電動工具。
【請求項５】
請求項４に記載の電動工具であって、
前記係止部材は、前記冷却風導入口に挿入可能に突出された本体部と、当該本体部の挿入方向先端側に形成された爪部と、を有し、前記本体部が前記冷却風導入口に挿入された場合、当該冷却風導入口の挿入方向入り口側の縁部で突出方向と交差する方向に押されて変形し、これにより前記爪部が前記冷却風導入口の挿入方向奥側の縁部に係止されることを特徴とする電動工具。
【請求項６】
請求項１〜５のいずれかに記載の電動工具であって、
前記電動工具は、前記ハウジングの下方に連接され、被加工材上に載置可能なベースを有する一方、前記先端工具として、前記モータにより回転駆動されることで被加工材を切断する回転刃を備えた石工用カッターとして構成されており、
前記防塵アタッチメントの前記端部面は、平坦に形成され、前記電動工具を載置する場合の載置面を構成していることを特徴とする電動工具。
【発明の詳細な説明】
【技術分野】
【０００１】
本発明は、ハウジングに形成された冷却風導入口から塵埃がハウジング内部に侵入することを防止するための防塵アタッチメントを備えた電動工具に関する。
【背景技術】
【０００２】
電動工具によって加工作業をする場合、加工作業の種類によっては、粉塵が発生することがある。このため、冷却ファンによってハウジング外部の空気（外気）を吸気口からハウジング内部に吸引して排気口から排出することでモータの冷却を行う電動工具においては、加工作業時に発生する粉塵等の塵埃がハウジング内部へ侵入することを防止するべく、吸気口に塵埃を捕捉するためのフィルター部材を備えている。実開平２−８５５９号公報（特許文献１）は、ハウジングの吸気口を覆うように袋状のフィルター部材が取付けられた電動工具（丸鋸）を開示している。
【０００３】
上記公報記載のフィルター部材の場合、粉塵のような塵埃を捕捉可能とするために細かい網目構造にすると、目詰まりを引き起こし易く、目詰まりを起こした場合、モータの冷却に必要とされる風量が減少し、冷却性能が低下してしまうという点でなお改良の余地がある。
【先行技術文献】
【特許文献】
【０００４】
【特許文献１】実開平２−８５５９号公報
【発明の概要】
【発明が解決しようとする課題】
【０００５】
本発明は、上記に鑑みてなされたものであり、モータの冷却性能を向上できるように改良された電動工具を提供することをその目的とする。
【課題を解決するための手段】
【０００６】
上記課題を達成するため、本発明に係る電動工具の好ましい形態によれば、先端工具を駆動するモータと、モータを収容するハウジングと、ハウジングに収容され、モータにより回転駆動されて当該ハウジング内に冷却風を流通させる冷却ファンと、冷却風をハウジング内部に導入するべく当該ハウジングに形成された冷却風導入口と、を有する。本発明における「電動工具」は、典型的には、先端工具が回転駆動することで被加工材の切断作業を行う石工用カッター（丸鋸タイプ）がこれに該当するが、当該石工用カッターに限らず、モータを冷却するべく当該モータを収容するハウジングに冷却風導入口を備えた電動工具を広く包含する。
【０００７】
本発明によれば、特徴的構成として、電動工具は、冷却風導入口を覆うようにハウジングに取外し自在に取付けられる防塵アタッチメントを有する。防塵アタッチメントは、冷却風の冷却風導入口からの導入方向と交差する端部面と、当該端部面に形成され、冷却風の通過を許容しつつ塵埃の通過を許容せず、当該塵埃を捕捉可能な第１開口と、第１開口と異なる方向に開口された第２開口と、を有する。そして、常時には、冷却風は、第１開口から冷却風導入口を通じてハウジング内部に導入され、当該第１開口が塵埃の捕捉によって目詰まりを起こした場合には、第２開口が冷却風のハウジング内への流通量を確保する構成とした。
【０００８】
本発明に係る防塵アタッチメントによれば、先端工具をモータにより駆動して所定の加工作業を行う場合において、冷却ファンが回転駆動することにより、モータを冷却するためにハウジングの冷却風導入口を通じてハウジング内部に導入される冷却風は、防塵アタッチメントの第１開口を経て導入される。これにより、モータの冷却に必要な風量を確保しつつ、塵埃がハウジング内部へ侵入することを防止できる。一方、第１開口に捕捉された塵埃が当該第１開口に付着堆積して目詰まりを起こした場合には、当該目詰まりによる風量の減少分を第２開口から流入される風量で補うことでモータの冷却に必要とされる風量を確保することができる。
【０００９】
すなわち、本発明の好ましい形態によれば、第１開口は、冷却風の冷却風導入口からの導入方向と交差する端部面に形成され、これに対し第２開口は、第１開口と異なる方向に開口された構成としている。したがって、冷却風の冷却風導入口からの導入方向と交差する端部面に形成された第１開口は、当該第１開口と異なる方向に開口されている第２開口に比べて冷却風が流通し易い構成である。このため、常時には、冷却風は、主として第１開口から導入されるが、第１開口が目詰まりを起こして吸引力が低下した場合には、それに伴い第２開口側の吸引力が大きくなり、当該第２開口を経てハウジング内に流入する風量が増加する。これによりモータの冷却に必要とされる風量を確保できる。なお、本発明における「異なる方向」とは、典型的には、冷却風の冷却風導入口からの導入方向と平行な壁面に形成されている態様がこれに該当するが、冷却風の冷却風導入口からの導入方向に対して傾斜している態様等を好適に包含する。
【００１０】
本発明の更なる形態によれば、第１開口には、冷却風の通過を許容しつつ塵埃の通過を許容せず、当該塵埃を捕捉可能なフィルター部材が配置され、これによって当該第１開口が構成されている。なお「フィルター部材」とは、金属製あるいは樹脂繊維製等の網目状部材、あるいは多孔質シート等、を広く包含する。
【００１１】
本発明の更なる形態によれば、防塵アタッチメントの内部には、補強リブが形成されており、当該補強リブは、第１開口からの冷却風の流入を区分して、第２開口の冷却風の吸引力を低減させる部材を兼用する構成としている。
この形態によれば、補強リブは、防塵アタッチメントの強度を補強する他、第２開口の防塵アタッチメント内部との連接部位の背圧を高くして当該第２開口の吸引力を減ずるように機能する。これにより、常時には冷却風の導入が第１開口を主体として行なわれるように調整できる。
【００１２】
本発明の更なる形態によれば、防塵アタッチメントは、当該防塵アタッチメントをハウジングに係止する係止部材を有する。そして冷却風導入口が、係止部材が係止される受け孔を兼用する構成としている。
この形態によれば、ハウジングに形成された冷却風導入口を利用して防塵アタッチメントをハウジングに取付けることができるため、ハウジングにアタッチメント取付けのために特別の加工を施す必要がなく、合理的な取付構造が提供される。
【００１３】
本発明の更なる形態によれば、係止部材は、冷却風導入口に挿入可能に突出された本体部と、当該本体部の挿入方向先端側に形成された爪部とを有し、本体部が冷却風導入口に挿入された場合、当該冷却風導入口の挿入方向入り口側の縁部で突出方向と交差する方向に押されて変形し、これにより爪部が冷却風導入口の挿入方向奥側の縁部に係止される構成とした。
この形態によれば、防塵アタッチメントの係止部材をハウジングの冷却風導入口に挿入するだけで、防塵アタッチメントをハウジングに簡単に取付けることができ、また当該取付状態を確保することができる。
【００１４】
本発明の更なる形態によれば、電動工具は、ハウジングの下方に連接され、被加工材上に載置可能なベースを有する一方、先端工具として、モータにより回転駆動されることで被加工材を切断する回転刃を備えた石工用カッターとして構成されている。そして防塵アタッチメントの端部面は、平坦に形成され、電動工具を載置する場合の載置面を構成している。
石工用カッターでは、回転刃が上側になるようにハウジングを直立状に載置した状態で回転刃の交換作業を行うが、この形態によれば、防塵アタッチメントの端部面を平坦にして載置面を構成したことにより、当該載置面を利用して床面等にハウジングを安定して載置することができる。
【発明の効果】
【００１５】
本発明によれば、モータの冷却性能を向上できるように改良された電動工具が提供されることとなった。
【図面の簡単な説明】
【００１６】
【図１】本実施の形態に係る石工用カッターの全体構成を示す斜視図である。
【図２】石工用カッターの全体構成を示す背面図である。
【図３】石工用カッターの内部構造を示す断面図である。
【図４】図２のＡ−Ａ線断面図である。
【図５】図２のＢ−Ｂ線断面図である。
【図６】図２のＣ−Ｃ線断面図である。
【図７】防塵カバーを外側から見た斜視図である。
【図８】防塵カバーを内側から見た斜視図である。
【図９】防塵カバーが取付けられた石工用カッターを示す斜視図である。
【図１０】防塵カバーが取付けられた石工用カッターの背面図である。
【図１１】防塵カバーが取付けられた石工用カッターの断面図である。
【図１２】図１０のＤ−Ｄ線断面図である。
【図１３】図１０のＥ−Ｅ線断面図である。
【図１４】図１０のＦ−Ｆ線断面図である。
【発明を実施するための最良の形態】
【００１７】
以下、本発明の実施の形態につき、図１〜図１４を参照しつつ詳細に説明する。本実施の形態は、電動工具の一例として石工用カッター（丸鋸タイプ）を用いて説明する。図１〜図３に示すように、本実施の形態に係る石工用カッター１００は、概括的に見て、石膏ボード等の被加工材上に載置可能なベース１１１と、ベース１１１の上方に配置されて当該ベース１１１と連接される工具本体部としてのカッター本体部１０１と、カッター本体部１０１に連接されて作業者が把持する略Ｄ形のハンドグリップ１０９とを主体として構成される。
【００１８】
カッター本体部１０１は、鉛直面内で回転される円板状のブレード１１３を収容するブレードケース１０３と、駆動モータ１１５及び冷却ファン１１４を収容したモータハウジング１０５と、駆動モータ１１５の回転出力をブレード１１３に伝達するための動力伝達機構１１７を収容したギアハウジング１０７とを主体として構成され、これらにより石工用カッター１００の外郭を構成している。モータハウジング１０５は、本発明における「ハウジング」に対応し、ブレード１１３は、本発明における「回転刃」に対応する。なお、ブレードケース１０３とギアハウジング１０７は一体に形成されている。また、モータハウジング１０５は、筒形に形成されており、ブレード１１３による切断方向（石工用カッター１００の移動方向）の後方から見てギアハウジング１０７の右側方に配置されるとともに、長軸方向の一端側において当該ギアハウジング１０７に複数のねじ１０６によって接合されている。
【００１９】
石工用カッター１００を操作して切断作業を行い、あるいは持ち運ぶために備えられるハンドグリップ１０９は、カッター本体部１０１の上面側に配置されるとともに、モータハウジング１０５に連接されており、作業者が引き操作することで駆動モータ１１５を通電駆動するトリガスイッチ１０９ａを備えている。
【００２０】
モータハウジング１０５内に収容される駆動モータ１１５は、図３に示すように、回転子１１５ａと、モータハウジング１０５にネジ等の止着手段によって固定される固定子１１５ｂとから構成されるとともに、その回転軸線方向が切断作業時における石工用カッター１００の移動方向、すなわち切断方向と直交する方向となるように配置されている。駆動モータ１１５は、本発明における「モータ」に対応する。
【００２１】
駆動モータ１１５の回転出力は、出力軸１２１から歯車式の動力伝達機構１１７を介してブレード１１３が装着されるブレード軸１２７に減速して伝達される構成とされる。出力軸１２１とブレード軸１２７は、互いに平行に配置される。動力伝達機構１１７は、図３に示すように、駆動モータ１１５の出力軸１２１に設けた小径平歯車と、当該小径平歯車１２３に噛合い係合する大径平歯車１２５と、当該大径平歯車１２５と共に回転するブレード軸１２７とを主体として構成される。ブレード１１３は、ベース１１１の一端部（切断方向と交差する方向の端部）に配置されるとともに、その下縁部が、当該ベース１１１の下方に突出されている。
【００２２】
上記のように構成された石工用カッター１００において、作業者は、ハンドグリップ１０９を把持するとともに、トリガスイッチ１０９ａの引き操作により駆動モータ１１５を通電駆動してブレード１１３を回転駆動した状態で、石工用カッター１００を被加工材上に載置して前方へ移動させることにより、ブレード１１３による当該被加工材の切断作業を遂行することができる。
【００２３】
次に駆動モータ１１５の冷却構造につき説明する。図３には、冷却風の流れを矢印で示す。駆動モータ１１５の出力軸１２１には、モータハウジング１０５に冷却風を流通させる冷却ファン１１４が当該出力軸１２１と一体回転するように取り付けられている。駆動モータ１１５の通電駆動によって冷却ファン１１４が回転されると、当該冷却ファン１１４が回転駆動することでモータハウジング１０５内に発生する吸引力によってモータハウジング１０５の長軸方向の端面１０５ａに形成された吸気風窓１２９から冷却風が導入（吸入）される。モータハウジング１０５内に吸入された冷却風は、当該モータハウジング１０５内をギアハウジング１０７側へ流通することで駆動モータ１１５を冷却する。その後、冷却風は冷却ファン１１４の径方向に流れるとともに、バッフルプレート１３１により方向転換され、更にモータ長軸方向へと案内されつつモータハウジング１０５からギアハウジング１０７側へと流入後、ギアハウジング１０７あるいはブレードケース１０３に形成された図示省略の排気口を経て外部へ排出される。モータハウジング１０５の端面１０５ａは、図１に示すように、当該モータハウジング１０５の長軸方向（駆動モータ１１５の回転軸線方向）と交差する平坦状の端面とされ、この平坦状の端面１０５ａに吸気風窓１２９が形成されている。したがって、冷却風は、図４〜図６に矢印Ｗで示すように、吸気風窓１２９を経てモータハウジング１０５の長軸方向に導入される。この冷却風の導入方向Ｗが、本発明における「冷却風の冷却風導入口からの導入方向」に対応する。吸気風窓１２９は、横格子状の複数のスリットによって構成されている。吸気風窓１２９は、本発明における「冷却風導入口」に対応する。
【００２４】
上記冷却構造の場合、駆動モータ１１５の通電駆動中において、吸気風窓１２９から粉塵のみならず小石等が吸い込まれ、駆動モータ１１５を損傷する可能性がある。そこで、本実施の形態に係る石工用カッター１００は、かかる不具合を解消するべくモータハウジング１０５に形成された吸気風窓１２９を覆うための防塵カバー１４１を備えている。防塵カバー１４１は、本発明における「防塵アタッチメント」に対応する。
【００２５】
図７及び図８に防塵カバー１４１の全体構成が示される。本実施の形態に係る防塵カバー１４１は、硬質樹脂製であり、一面が開放された略矩形箱型に形成されており、図９に示すように、モータハウジング１０５の端部に外側から被さるように取外し自在に取付けられる。防塵カバー１４１は、モータハウジング１０５に取付けられた状態において、駆動モータ１１５の回転軸線方向（冷却風の吸気風窓１２９からの導入方向Ｗ）と交差する端部壁１４３と、当該回転軸線方向に対し概ね平行をなす周壁（側壁）１４７とを有する。端部壁１４３は、本発明における「端部面」に対応する。
【００２６】
防塵カバー１４１の端部壁１４３には、モータハウジング１０５の吸気風窓１２９からの冷却風の導入方向Ｗと同方向に貫通する第１吸気口１４５が形成されている。第１吸気口１４５は、本発明における「第１開口」に対応する。第１吸気口１４５には、冷却風の通過を許容するが、粉塵等の塵埃については通過を許容することなく捕捉可能なフィルター部材１４６（図１２〜図１４参照）が設けられている。フィルター部材１４６は、金属製の網目状シート部材（メッシュシート部材）として形成されており、防塵カバー１４１の成型時に当該第１吸気口１４５を横切るようにインサート成形される。
【００２７】
防塵カバー１４１の周壁１４７には、吸気風窓１２９からの冷却風の導入方向Ｗと交差する方向に貫通する第２吸気口１４９が形成されている。第２吸気口１４９は、本発明における「第２開口」に対応する。第２吸気口１４９は、防塵カバー１４１の長軸方向（モータハウジング１０５の長軸方向）に概ね平行に延在する、冷却風及び粉塵等の塵埃が通過することを許容する大きさの複数のスリットによって構成されており、周壁１４７の周方向全体にわたって所定の間隔で形成されている。
【００２８】
上記のように、第１吸気口１４５は、吸気風窓１２９からの冷却風の導入方向Ｗ、すなわち冷却ファン１１４による冷却風の吸引方向と同一方向に貫通され、冷却風が流入し易い。これに対し、第２吸気口１４９は、吸気風窓１２９からの冷却風の導入方向Ｗに対して交差する方向に貫通されており、第１吸気口１４５に比べて冷却風が流入し難い。このため、常時には、冷却風は、主として第１吸気口１４５から導入される、第１吸気口１４５のフィルター部材１４６が目詰まりを起こして第１吸気口１４５からの風量が減少した場合には、当該目詰まりによる風量の低下を補う形で第２吸気口１４９から導入される風量が増加する。すなわち、第２吸気口１４９は、第１吸気口１４５のフィルター部材１４６が目詰まりを起こした場合に、冷却風のモータハウジング１０５への流通量を確保する吸気口として設定されている。
【００２９】
加えて、本実施の形態では、防塵カバー１４１を補強するべく形成された補強リブ１５１によって第１吸気口１４５から導入される冷却風の流れを複数に区分している。補強リブ１５１は端部壁１４３の外面側から内面側へと直線状に延在され、その側面が第２吸気口１４９の出口と対向されている。これにより、補強リブ１５１は、常時において、第２吸気口１４９の背圧を高くして吸引力を減ずる部材として作用する。すなわち、本実施の形態では、上記した第１吸気口１４５と第２吸気口１４９の開口方向を異ならせることのみならず、第１吸気口１４５から導入される冷却風流れを複数に区分する補強リブ１５１によって、第２吸気口１４９の吸引力を減じさせることで、冷却風の導入が第１吸気口１４５を主体として行われるように構成している。
【００３０】
従って、本実施の形態によれば、常時には、主として第１吸気口１４５によって駆動モータ１１５の冷却風量を確保しつつ、塵埃がモータハウジング１０５の内部へ侵入することを防止でき、一方、第１吸気口１４５が目詰まりを起こした場合には、当該目詰まりによる風量の減少分を第２吸気口１４９によって補うことで駆動モータ１１５の冷却風量を確保することができる。
【００３１】
次に防塵カバー１４１のモータハウジング１０５に対する取付構造につき説明する。防塵カバー１４１は、開放側を前にしてモータハウジング１０５の端部に向けて直線的に移動させることで周壁１４７の先端側（開放側端部）がモータハウジング１０５の端部外面に被さる（嵌合する）ように取付けられる。なお、防塵カバー１４１の周壁１４７には、当該周壁１４７の対向する２箇所を内径方向に凹ませることで形成した把持部１５３が設けられ、当該把持部１５３を手指で掴んでモータハウジング１０５に対する取付けあるいは取外しを行うことを可能としている。
【００３２】
図８に示すように、把持部１５３を構成する内径方向の凹み領域のうち端部壁１４３と平行な壁面内側には、当該壁面に対し交差状（従って、モータハウジング１０５の端面１０５ａに対して交差状）に突出する所定長さの複数の係止片１５５が一体に設けられている。係止片１５５は、防塵カバー１４１の周方向の対向する２箇所に各２個ずつ設けられる。係止片１５５は、防塵カバー１４１の長軸方向（取付方向）に所定長さで突出する本体部１５７と、当該本体部１５７の先端に防塵カバー１４１の中心側に向かって突出するように設けたフック状の爪１５９とからなり、モータハウジング１０５の空気風窓１２９を受け孔として係止する構成とされる。係止片１５５は、本発明における「係止部材」に対応する。
【００３３】
係止片１５５の本体部１５７の基部側には、爪１５９の突出方向と反対側の背面に突部１５７ａが形成されている。突部１５７ａは、空気風窓１２９を構成する当該スリットに係止片１５５を挿入した際、挿入過程の終盤においてスリットの外側縁部、すなわち挿入方向入り口側（外側）の縁部で押圧されるように設定されている。これにより本体部１５７が弾性変形するとともに、爪１５９がスリットの内側縁部、すなわち挿入方向奥側（内側）の縁部に係止する構成としている。
【００３４】
このように構成したことで、作業者は、把持部１５３を掴んで防塵カバー１４１の係止片１５５をモータハウジング１０５の空気風窓１２９内に挿入するだけで、当該防塵カバー１４１をモータハウジング１０５の端部外面に被さるように簡単に取付けることができる。なお、防塵カバー１４１の取付時においては、係止片１５５の爪１５９がスリットの内側縁部に係止されるとき、防塵カバー１４１の補強リブ１５１の突出方向端面がモータハウジング１０５の端面１０５ａに接触する。これにより防塵カバー１４１は、取付け及び取外し方向に関して位置決めされる。このため、爪１５９が外れ難くなり、取付状態が確保される。
【００３５】
上記のように、本実施の形態によれば、モータハウジング１０５の空気風窓１２９を係止片１５５の受け孔として利用して取付ける構成としたので、モータハウジング１０５に防塵カバー１４１の取付けのために特別の加工を施す必要がない。
なお、防塵カバー１４１は、把持部１５３を掴んで手前に引っ張ることで、係止片１５５の本体部１５７を弾性変形させて爪１５９の係止を解除し、モータハウジング１０５から取外すことができる。
【００３６】
以上のように、本実施の形態によれば、常時には、冷却風は、主としてフィルター部材１４６が設けられた第１吸気口１４５から導入されることで、冷却風量を確保しつつ、粉塵等の塵埃あるいは塵埃に含まれる小石等の異物等の侵入を防止して駆動モータ１１５を保護することができる。一方、第１吸気口１４５のフィルター部材１４６が目詰まりを起こした場合には、当該目詰まりに伴う吸入風量の低下を第２吸気口１４９によって補うため、目詰まりによる早期の駆動モータ１１５の焼損を防止することができる。このため、切断作業を中断して防塵カバー１４１の掃除を行う必要がなく、作業能率の向上を図ることができる。
【００３７】
また、本実施の形態によれば、防塵カバー１４１をモータハウジング１０５から取外すことが可能なため、作業の終了後において、防塵カバー１４１をモータハウジング１０５から取外し、フィルター部材１４６の目詰まりを掃除することができる。
【００３８】
石工用カッター１００の場合、ブレード１１３が上側になるように、モータハウジング１０５を床面に直立状に載置した状態でブレード１１３の交換作業を行うが、本実施の形態によれば、防塵カバー１４１の端部壁１４３を平坦にしたことにより、当該端部壁１４３を載置面としてモータハウジング１０５を安定して載置することができる。
【００３９】
なお、本実施の形態では、金属製の網目状シート部材によってフィルター部材１４６を構成したが、樹脂繊維製の網目状シート部材あるいは樹脂製の多孔質シートによって構成してもよい。また、第２吸気口１４９は、長軸方向に長いスリットによって構成したが、この構成に変え、周方向に長いスリット、あるいは丸孔、角孔に変更してもよい。また、第２吸気口１４９は、周壁１４７の全体に設けたが、周壁１４７の一部に設ける構成に変更してもよい。
【００４０】
また、本実施の形態は、電動工具として石工用カッター１００の場合で説明したが、石工用カッター１００に限らず、一般的な丸鋸、あるいはグラインダーあるいはサンダーのような研削・研磨作業を行う工具等、加工作業によって細かな粉塵が発生する電動工具であれば、適用可能である。
【００４１】
（態様１）
「請求項１に記載の電動工具であって、
前記防塵アタッチメントは、前記冷却風の前記冷却風導入口からの導入方向と交差する端部壁と、前記冷却風の前記冷却風導入口からの導入方向と平行な周壁とを有する、一面が開放された箱型に形成されており、前記端部壁には前記第１開口が形成され、前記周壁には前記第２開口が形成されていることを特徴とする電動工具。」
【００４２】
（態様２）
「態様１に記載の電動工具であって、
前記防塵アタッチメントは、前記ハウジングの端部外面に嵌合状に取付けられることを特徴とする電動工具。」
【００４３】
（態様３）
「請求項２に記載の電動工具であって、
前記フィルター部材は、網目状シート部材によって構成されていることを特徴とする電動工具。」
【００４４】
（態様４）
「請求項１に記載の電動工具であって、
前記第２開口は、塵埃の通過を許容するように設定されていることを特徴とする電動工具。」
【符号の説明】
【００４５】
１００  石工用カッター
１０１  カッター本体部
１０３  ブレードケース
１０５  モータハウジング（ハウジング）
１０５ａ  端面
１０６  ねじ
１０７  ギアハウジング
１０９  ハンドグリップ
１０９ａ  トリガスイッチ
１１１  ベース
１１３  ブレード（回転刃）
１１４  冷却ファン
１１５  駆動モータ（モータ）
１１５ａ  回転子
１１５ｂ  固定子
１１７  動力伝達機構
１２１  出力軸
１２３  小径平歯車
１２５  大径平歯車
１２７  ブレード軸
１２９  吸気風窓（冷却風導入口）
１３１  バッフルプレート
１４１  防塵カバー（防塵アタッチメント）
１４３  端部壁（端部面）
１４５  第１吸気口（第１開口）
１４６  フィルター部材
１４７  周壁
１４９  第２吸気口（第２開口）
１５１  補強リブ
１５３  把持部
１５５  係止片（係止部材）
１５７  本体部
１５７ａ  突部
１５９  爪
【図１】
2012200845.tif 000003
【図２】
2012200845.tif 000004
【図３】
2012200845.tif 000005
【図４】
2012200845.tif 000006
【図５】
2012200845.tif 000007
【図６】
2012200845.tif 000008
【図７】
2012200845.tif 000009
【図８】
2012200845.tif 000010
【図９】
2012200845.tif 000011
【図１０】
2012200845.tif 000012
【図１１】
2012200845.tif 000013
【図１２】
2012200845.tif 000014
【図１３】
2012200845.tif 000015
【図１４】
2012200845.tif 000016